【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
デジタイザから電子インクを受信する手書き面コンポーネント、単語または文字の境界に対応する境界情報を提供するコンポーネント、前記手書き面コンポーネントと前記境界情報を提供するコンポーネントとに接続されたスクラッチアウトジェスチャ検出器であって、前記境界情報に基づく基準に基づき前記手書き面において受信した電子インクを評価して、前記電子インクが複数の異なる許容されるスクラッチアウトジェスチャのタイプのいずれかであるか否かを判定する前記スクラッチアウトジェスチャ検出器を備えたコンピューティング装置において直感的にスクラッチアウトジェスチャを利用するためのコンピュータ実装方法であって、
前記スクラッチアウトジェスチャ検出器は複数の異なる許容されるスクラッチアウトジェスチャのタイプを既に入力されたインクを消去するスクラッチアウトジェスチャの処理に関連付けるステップと、
前記コンピューティング装置は、前記コンピューティング装置の手書き面コンポーネントにおけるデジタイザを介して入力されたインクデータに対応するユーザ入力を受信するステップと、
前記スクラッチアウトジェスチャ検出器は、前記コンピューティング装置によって表示された対応する単語または文字の少なくとも１つの境界閾値データに基づき前記インクデータを評価して、前記ユーザ入力が複数の異なる許容されるスクラッチアウトジェスチャのタイプの内の少なくとも１つと対応するスクラッチアウトジェスチャであるか否かを判定するステップと
前記デジタイザを介して入力されたインクデータに対応するユーザ入力を受信するステップと、
少なくとも１つの対応する単語または文字の境界閾値データに基づいて、前記インクデータを評価して、前記ユーザ入力がスクラッチアウトジェスチャか否かを判定するステップと、
ａ）前記インクデータがスクラッチアウトジェスチャの場合、前記スクラッチアウトジェスチャに対応する既に入力されているインクおよび前記スクラッチアウトジェスチャに対応する前記インクデータを消去するステップと、
ｂ）前記インクデータがスクラッチアウトジェスチャでない場合、前記インクデータを単語または文字の少なくとも一部のインクストロークデータとして処理するステップと
を有することを特徴とする方法。
【請求項２】
前記デジタイザを介して入力された前記インクデータに対応するユーザ入力の受信は、コンピュータペン入力のデータの受信に対応することを特徴とする請求項１に記載の方法。
【請求項３】
前記インクデータは、フリーフォーム書き込み領域において、可能なスクラッチアウトジェスチャとして受信され、前記境界閾値データは、既に入力されている単語または文字の境界ボックスに基づき、および前記インクデータを評価するステップは、前記ジェスチャの幅を前記境界ボックスの幅に対して比較するステップを含むことを特徴とする請求項１に記載の方法。
【請求項４】
前記インクデータを境界閾値データに基づいて評価するステップは、既に入力されている単語または文字の境界ボックス内に、ある特定の点を越えて前記ジェスチャが延びているか否かを判定するステップを含むことを特徴とする請求項１に記載の方法。
【請求項５】
前記インクデータは、可能なスクラッチアウトジェスチャとしてフリーフォーム書き込み領域で受信され、前記境界閾値データは、既に入力されている単語または文字の境界ボックスに基づき、および前記インクデータを評価するステップは、前記境界ボックスの幅を最小の大きさと比較し、前記境界ボックスの幅が前記最小の大きさを下回る場合、第１の閾値を前記ジェスチャの幅との比較用に選択し、前記境界ボックスの幅が前記最小の大きさを上回る場合、異なる閾値を前記ジェスチャの幅との比較用に選択するステップを含むことを特徴とする請求項１に記載の方法。
【請求項６】
前記インクデータを評価するステップは、前記ジェスチャの少なくとも一部分が既に入力されている単語または文字のベースラインの上方にあるか否かを判定するステップを含むことを特徴とする請求項１に記載の方法。
【請求項７】
前記インクデータは、少なくとも２つの別個の単語または文字に対して適用するスクラッチアウトジェスチャであることを判定し、および前記別個の単語または文字に対応する既に入力されているインクを消去するステップと、
前記別個の単語または文字の間に入る単語または文字の全てを消去するステップとをさらに有することを特徴とする請求項１に記載の方法。
【請求項８】
前記ジェスチャは、少なくとも１つの別個の追加ジェスチャストロークを含み、前記インクデータを評価するステップは、前記ジェスチャの第１ストロークを評価して前記インクデータがスクラッチアウトジェスチャであるか否かを判定し、スクラッチアウトジェスチャと判定された場合、前記ジェスチャの追加ストロークの各々を、該追加ストロークの各々を消去することを含めて、前記ジェスチャの第１ストロークの一部として処理するステップを含むことを特徴とする請求項１に記載の方法。
【請求項９】
前記インクデータをインクストロークデータとして処理するステップは、前記インクデータを認識器に送信するステップを含むことを特徴とする請求項１に記載の方法。
【請求項１０】
前記インクデータは、可能なスクラッチアウトジェスチャとしてボックス書き込み領域で受信され、および前記境界閾値データは、前記ストロークが交差する既に認識されている文字のボックス幅に基づくことを特徴とする請求項１に記載の方法。
【請求項１１】
前記インクデータを前記境界閾値データに基づいて評価するステップは、前記ジェスチャが閾値距離を超えて前記ボックス内に延びているか否かを判定するステップを含むことを特徴とする請求項１に記載の方法。
【請求項１２】
実行時に請求項１に記載の方法を行う、コンピュータ実行可能命令を有するコンピュータ読取可能記録媒体。
【請求項１３】
前記インクデータを評価するステップは、前記基準を満たすか否かを前記インクデータの水平方向のストローク幅と前記境界コンテナの水平方向の幅との比率に基づいて判定することを特徴とする請求項１２に記載のコンピュータ読取可能記録媒体。
【請求項１４】
前記境界コンテナは、フリーフォーム書き込み領域内のインク経由で入力された単語を論理的に囲む境界ボックス含み、および前記インクデータを評価するステップは、前記境界ボックスの水平方向の幅と、距離に対応する固定値との閾値比率を選択するステップを含むことを特徴とする請求項１３に記載のコンピュータ読取可能記録媒体。
【請求項１５】
デジタイザからの電子インクを受信する手書き面コンポーネントと、
単語または文字の境界に対応する境界情報を提供するコンポーネントと、
前記手書き面コンポーネントと、前記境界情報を提供するコンポーネントとに結合されたスクラッチアウトジェスチャ検出器であって、複数の異なるスクラッチアウトのタイプをスクラッチアウトの処理に関連付け前記境界情報に基づく基準に基づき前記手書き面において受信した前記電子インクを評価して、前記電子インクが前記スクラッチアウトの処理と関連付けられた複数の異なる許容されるスクラッチアウトのタイプのいずれかと対応するか否かを判定する前記スクラッチアウトジェスチャ検出器と
を備え、前記スクラッチアウトの処理は前記スクラッチアウトの処理によって特定された既に入力されたインクおよび前記スクラッチアウトジェスチャを含む前記電子インクを消去するものであることを特徴とするコンピューティング装置におけるシステム。
【請求項１６】
境界情報を提供する前記コンポーネントは、手書き認識器を含むことを特徴とする請求項１５に記載のシステム。
【請求項１７】
前記基準は、一群の基準のうち少なくとも１つの基準を含み、前記一群の基準は、前記電子インクが１つまたは複数の既に認識されている単語または文字と交差するか否か、前記電子インクの有する境界ボックス幅が、電子インクが交差する少なくとも１つの既に認識されている単語または文字の境界ボックス幅の少なくとも閾値割合であるか否か、前記電子インクは、前記電子インクが交差する少なくとも１つの既に認識されている単語または文字の境界ボックス内に閾値の範囲を超えて延びているか否か、および前記電子インクの少なくともいくらかの部分が、前記電子インクが交差する少なくとも１つの既に認識されている単語または文字のベースラインの上方にあるか否かを含むことを特徴とする請求項１５に記載のシステム。
【請求項１８】
前記手書き面コンポーネントは、フリーフォーム書き込み領域またはボックス書き込み領域に対応することを特徴とする請求項１５に記載のシステム。
【請求項１９】
前記インクデータを評価するステップは、前記インクデータの水平方向のストロークが一定の水平範囲を超えて前記境界ボックス内に延びているか否かに基づいて、前記基準が満たされているか否かを判定することを特徴とする請求項１２に記載のコンピュータ読取可能記録媒体。
【請求項２０】
前記インクデータを評価するステップは、スクラッチアウトジェスチャに対する前記基準を満たしていることを判定し、および既に入力されている電子インクを消去するステップは、消去される他の２つの単語または２つの文字の間にある少なくとも１単語または１文字を消去するステップ、および／または消去される単語の直前または直後にある１文字単語を消去するステップを含むことを特徴とする請求項１２に記載のコンピュータ読取可能媒体。